【手続補正書】
【提出日】平成26年9月3日(2014.9.3)
【手続補正１】
【補正対象書類名】明細書
【補正対象項目名】０２１１
【補正方法】変更
【補正の内容】
【０２１１】
本発明の様々な修正及び変更は、本発明の範囲及び趣旨から逸脱せずに当該技術分野の当業者に明らかであり、本発明は、ここに記載された例示的な実施形態に限定されないことが理解されるべきである。例えば、１つの開示実施形態の特徴は、別に記載のない限り、他の開示実施形態全てにも適用され得ることを、読者は推定すべきである。また、本明細書において参照された全ての米国特許、公開特許出願、並びに他の特許及び非特許文書は、それらが上述の開示に矛盾しない範囲において、参照によって全てが組み込まれることが理解されるべきである。
本願発明に関連する発明の実施形態について以下に列挙する。
[実施形態１]
自発光型光源からの光抽出を強化するための光抽出フィルムであって、
可撓性キャリアフィルムと、
前記キャリアフィルムによって担持される第１層及び第２層であって、前記第１層及び前記第２層は、それらの間に第１の埋め込みインターフェースを画定する、第１層及び第２層と、を含み、
前記第１の埋め込みインターフェースは、第１の光抽出要素の第１の構造化表面を形成し、
前記第１層はナノ中空モルホルジーを有し、かつポリマー結合剤を含み、前記第１層はまた１．３５未満の屈折率を有し、
前記第２層は、前記第１層よりも大きい屈折率を有する、光抽出フィルム。
[実施形態２]
前記第１層が１．３未満の屈折率を有する、実施形態１に記載の抽出フィルム。
[実施形態３]
前記第２層が１．４超の屈折率を有する、実施形態１に記載の抽出フィルム。
[実施形態４]
前記第１層と前記第２層との屈折率の差が少なくとも０．３、又は少なくとも０．４、又は少なくとも０．５である、実施形態１に記載の抽出フィルム。
[実施形態５]
前記第１層が前記キャリアフィルムと前記第２層との間に配置される、実施形態１に記載の抽出フィルム。
[実施形態６]
前記第１の光抽出要素が十分に小さく、前記第２層が十分に薄いため、前記前記抽出フィルムが前記自発光型光源と組み合わされたときに、前記抽出要素の実質的な部分が、前記自発光型光源のエバネセント領域内に配置される、実施形態５に記載の抽出フィルム。
[実施形態７]
前記第１の光抽出要素が回折要素を含む、実施形態５に記載の抽出フィルム。
[実施形態８]
前記第１の光抽出要素が１マイクロメートル未満のピッチを有する、実施形態５に記載の抽出フィルム。
[実施形態９]
前記第１の光抽出要素が１マイクロメートル超のピッチを有する、実施形態５に記載の抽出フィルム。
[実施形態１０]
前記第１の光抽出要素が屈折要素を含む、実施形態９に記載の抽出フィルム。
[実施形態１１]
前記第１の光抽出要素がそれと関連付けられたランド部を有し、前記ランド部は５０マイクロメートル未満の厚さを有する、実施形態９に記載の抽出フィルム。
[実施形態１２]
前記ランド部の厚さが２５マイクロメートル未満である、実施形態１１に記載の抽出フィルム。
[実施形態１３]
前記第２層が光透過性粘弾性物質を含む、実施形態５に記載の抽出フィルム。
[実施形態１４]
前記第１の構造化表面と反対側の第２層の主表面を覆う剥離ライナーを更に含む、実施形態１３に記載の抽出フィルム。
[実施形態１５]
前記抽出フィルムは、前記抽出フィルムとは別に製造される自発光型光源への適用のために適合される、実施形態１に記載の抽出フィルム。
[実施形態１６]
前記抽出フィルムは、その上で前記自発光型光源が製造され得る基材として適合される、実施形態１に記載の抽出フィルム。
[実施形態１７]
前記キャリアフィルムは、該キャリアフィルムをロールツーロールプロセスにおいて自立する支持フィルムとして適したものにする物理的特性を有する、実施形態１に記載の抽出フィルム。
[実施形態１８]
前記第１層又は前記第２層のいずれも、前記第１層又は前記第２層をロールツーロールプロセスにおいて自立する支持フィルムとして適したものにする物理的特性を有さない、実施形態１に記載の抽出フィルム。
[実施形態１９]
前記キャリアフィルムによって担持される第３層と、それらの間に第２の埋め込まれたインターフェースを画定する第１層及び第２層と、を更に含み、
前記第２の埋め込まれたインターフェースは、第２の光抽出要素の第２の構造化表面を形成する、実施形態１に記載の抽出フィルム。
[実施形態２０]
前記第１の光抽出要素は１マイクロメートル未満のピッチを有し、前記第２の光抽出要素は１マイクロメートル超のピッチを有する、実施形態１９に記載の抽出フィルム。
[実施形態２１]
前記第１の光抽出要素の実質的な部分は、前記抽出フィルムが前記自発光型光源と組み合わされたときに、前記自発光型光源のエバネセント領域内に配置されるように適合される、実施形態１９に記載の抽出フィルム。
[実施形態２２]
前記第２の光抽出要素がそれと関連付けられたランド部を有し、前記ランド部は５０マイクロメートル未満の厚さを有する、実施形態１９に記載の抽出フィルム。
[実施形態２３]
前記ランド部の厚さが２５マイクロメートル未満である、実施形態２２に記載の抽出フィルム。
[実施形態２４]
前記自発光型光源がＯＬＥＤを含む、実施形態１に記載の抽出フィルム。
[実施形態２５]
前記第１層及び前記第２層は前記可撓性キャリアフィルムと前記自発光型光源との間に配置される、前記自発光型光源と組み合わされた実施形態１に記載の抽出フィルム。
[実施形態２６]
デバイスであって、
ＯＬＥＤ、及び
前記ＯＬＥＤに取り付けられた光抽出フィルム、を含み、
前記光抽出フィルムは可撓性キャリアフィルムと、前記キャリアフィルムによって担持される第１層及び第２層であって、第１の光抽出要素の第１の構造化表面を形成する第１の埋め込みインターフェースをそれらの間に画定する、第１層及び第２層と、を含み、
前記第１層はナノ中空モルホルジーを有し、かつポリマー結合剤を含み、前記第１層はまた１．３５未満の屈折率を有し、
前記第２層は、前記第１層よりも大きい屈折率を有し、かつ前記第１層と前記ＯＬＥＤとの間に配置される、デバイス。
[実施形態２７]
高屈折率領域が前記ＯＬＥＤと関連付けられ、前記高屈折率領域が少なくとも１つの有機光生成層及び少なくとも１つの透明電極層を含み、前記第１の光抽出要素の実質的な部分が、前記高屈折率領域のエバネセント領域内に配置される、実施形態２６に記載のデバイス。
[実施形態２８]
少なくとも１つの透明電極層が前記光抽出フィルムの一部である、実施形態２７に記載のデバイス。
[実施形態２９]
前記第１の光抽出要素が屈折要素を含み、かつ１マイクロメートル超のピッチを有する、実施形態２６に記載のデバイス。
[実施形態３０]
前記第１の光抽出要素がそれと関連付けられたランド部を有し、前記ランド部は５０マイクロメートル未満の厚さを有する、実施形態２９に記載のデバイス。
[実施形態３１]
前記ランド部が２５マイクロメートル未満の厚さを有する、実施形態２９に記載のデバイス。
【手続補正２】
【補正対象書類名】特許請求の範囲
【補正対象項目名】全文
【補正方法】変更
【補正の内容】
【特許請求の範囲】
【請求項１】
自発光型光源からの光抽出を強化するための光抽出フィルムであって、
可撓性キャリアフィルムと、
前記キャリアフィルムによって担持される第１層及び第２層であって、前記第１層及び前記第２層は、それらの間に第１の埋め込みインターフェースを画定する、第１層及び第２層と、を含み、
前記第１の埋め込みインターフェースは、第１の光抽出要素の第１の構造化表面を形成し、
前記第１層はナノ中空モルホルジーを有し、かつポリマー結合剤を含み、前記第１層はまた１．３５未満の屈折率を有し、
前記第２層は、前記第１層よりも大きい屈折率を有する、光抽出フィルム。
【請求項２】
デバイスであって、
ＯＬＥＤ、及び
前記ＯＬＥＤに取り付けられた光抽出フィルム、を含み、
前記光抽出フィルムは可撓性キャリアフィルムと、前記キャリアフィルムによって担持される第１層及び第２層であって、第１の光抽出要素の第１の構造化表面を形成する第１の埋め込みインターフェースをそれらの間に画定する、第１層及び第２層と、を含み、
前記第１層はナノ中空モルホルジーを有し、かつポリマー結合剤を含み、前記第１層はまた１．３５未満の屈折率を有し、
前記第２層は、前記第１層よりも大きい屈折率を有し、かつ前記第１層と前記ＯＬＥＤとの間に配置される、デバイス。